(57)【要約】【課題】センターミラーとサイドミラーとの干渉を防止するため、互いの間隔を大きくする必要があった。【解決手段】略Ｖ字状の停止部４０ｂ１を設けて、同停止部の奥行き分だけセンターミラー７０を前方に移動させておくことにより、スライド部４０ａにおいてセンターミラー７０とサイドミラー８０とが干渉することなく、センターミラー７０が幅方向に移動することが可能となる。一方、ランナー５０，５５の形状を側面視略コの字状に形成し、センターミラーの上下端面から上下に所定量突出させて配設することにより、ランナー５０，５５とサイドミラー８０とが干渉することなくスライドさせることができる。【選択図】  図１０
2004357963.tif 000002
【特許請求の範囲】
【請求項１】
略鉛直に立設されるミラーキャビネットと、上記ミラーキャビネットの前面側において幅方向に隣接させて配設される略矩形板状のセンターミラーと右サイドミラーおよび左サイドミラーと、上記ミラーキャビネットにおいて前面側が開放するとともに、上記センターミラーに前面側から覆い隠され閉状態となる収納部とを具備する洗面化粧台において、
上記センターミラーは、スライド機構により幅方向にスライド可能に上記ミラーキャビネットに支持されることを特徴とする洗面化粧台。
【請求項２】
上記スライド機構は、上記センターミラーの背面に備えられるランナーと、上記ミラーキャビネットに備えられ上記ランナーが走査可能に係合するレールとを具備することを特徴とする請求項１に記載の洗面化粧台。
【請求項３】
上記レールは、上記ランナーの走査方向が上記センターミラーの幅方向となるスライド部と、上記収納部が閉状態となる上記センターミラーの停止位置にて上記ランナーを位置決め停止させるための停止部を具備するとともに、
上記停止部は、前方端部にて上記スライド部と接続しつつ、後方側に屈曲部を配する略Ｖ字状部を備えるとともに、同略Ｖ字状部の上記屈曲部が上記停止位置となることを特徴とする請求項２に記載の洗面化粧台。
【請求項４】
上記収納部が閉状態となるとき、上記センターミラーと上記右サイドミラーと上記左サイドミラーの全ての上端面の高さが等しく、前面側の奥行き位置が全て一致することを特徴とする請求項１から請求項３のいずれかに記載の洗面化粧台。
【請求項５】
上記右サイドミラーと上記左サイドミラーは、ともに上記センターミラーの略半分の幅であるとともに、
上記センターミラーの右端面を上記右サイドミラーの右端面と概略一致させるまで幅方向右側にスライド可能とし、同センターミラーの左端面を上記左サイドミラーの左端面と概略一致させるまで幅方向左側にスライド可能とされていることを特徴とする請求項１から請求項４のいずれかに記載の洗面化粧台。
【発明の詳細な説明】
【０００１】
【発明の属する技術分野】
本発明は、洗面化粧台に関し、特に、センターミラーの背面に収納棚等の収納部が備えられる洗面化粧台に関する。
【０００２】
【従来の技術】
従来、この種の洗面化粧台として、洗面ミラーの幅方向端部に蝶番を備えたものが知られている（例えば、特許文献１参照。）。
かかる構成により洗面ミラーの幅方向端部の上記蝶番にて上記洗面ミラーを回動開きさせることにより、収納棚を前面側に開放させることが可能となっている。
【特許文献１】
特開２００２−３２０５２１号公報
【０００３】
【発明が解決しようとする課題】
上述した洗面化粧台においては、上記洗面ミラーを回動開きさせる際の自由端が使用者の前方を通過することとなるため、使用者が立つ位置などとの関係から回動開きさせるミラーの大型化が困難であり、センターミラーの様な比較的大型のミラーに回動開きの構成を適用することは難しかった。
さらに、回動開きさせる際には蝶番によって片持ち支持する構造となるため、重量となる大型のセンターミラーには適用し難いという課題もあった。
本発明は、上記課題にかんがみてなされたもので、大型のセンターミラーを適用しても無理なく開閉することができる洗面化粧台の提供を目的とする。
【０００４】
【課題を解決するための手段】
上記目的を達成するため、請求項１にかかる発明は、略鉛直に立設されるミラーキャビネットと、上記ミラーキャビネットの前面側において幅方向に隣接させて配設される略矩形板状のセンターミラーと右サイドミラーおよび左サイドミラーと、上記ミラーキャビネットにおいて前面側が開放するとともに、上記センターミラーに前面側から覆い隠され閉状態となる収納部とを具備する洗面化粧台において、上記センターミラーは、スライド機構により幅方向にスライド可能に上記ミラーキャビネットに支持される構成としてある。
【０００５】
上記のように構成した請求項１の発明において、略鉛直に立設された上記ミラーキャビネットの前面側には、略矩形板状のセンターミラーと右サイドミラーおよび左サイドミラーが幅方向に隣接させて配設され、同ミラーキャビネットの同センターミラーの背面側には前面側が開放する収納棚等の収納部が形成される。すなわち、上記収納部は前面側が開放するものの、上記センターミラーの背面側に位置するため前面側が上記センターミラーにより覆われて閉状態となる。
【０００６】
上記センターミラーは、上記スライド機構により幅方向にスライド可能に上記ミラーキャビネットに支持される。従って、上記センターミラーが幅方向にスライドすると、同センターミラーの背面にあった上記収納部が前方側に露出する。このとき、上記収納部は前方側が開放するため収納物の出し入れが可能となる。
【０００７】
また、請求項２にかかる発明は、上記スライド機構は、上記センターミラーの背面に備えられるランナーと、上記ミラーキャビネットに備えられ上記ランナーが走査可能に係合するレールとを具備する構成としてある。
【０００８】
上記のように構成した請求項２の発明において、上記センターミラーは上記スライド機構により上記ミラーキャビネットと連結される。上記センターミラーの背面側にて上記ランナーを取り付け、同ランナーが走査可能に係合する上記レールを上記ミラーキャビネットに取り付けることにより、上記ミラーキャビネットに対して上記センターミラーがスライド可能となる。
【０００９】
また、請求項３にかかる発明は、上記レールは、上記ランナーの走査方向が上記センターミラーの幅方向となるスライド部と、上記収納部が閉状態となる上記センターミラーの停止位置にて上記ランナーを位置決め停止させるための停止部を具備するとともに、上記停止部は、前方端部にて上記スライド部と接続しつつ、後方側に屈曲部を配する略Ｖ字状部を備えるとともに、同略Ｖ字状部の上記屈曲部が上記停止位置となる構成としてある。
【００１０】
上記のように構成した請求項３の発明において、上記レールの上記スライド部にて上記ランナーが走査するとき、上記センターミラーは幅方向にスライドすることができる。上記ランナーが上記停止位置にて停止して、上記センターミラーが上記右サイドミラーと上記左サイドミラーに隣接するとき、上記収納部は上記センターミラーにより前面側から覆われて閉状態となる。同停止位置にて上記センターミラーを位置決め停止させるために、上記レールに停止部が設けられる。上記停止部は、前方端部にて上記スライド部と接続しつつ後方側に屈曲部を配する略Ｖ字状部分を備えるため、前方端部と屈曲部との間においては上記ランナーは上記センターミラーの幅方向に対して勾配のある方向に進行する。従って、略Ｖ字状部分を上記ランナーが走査するとき、上記センターミラーの幅方向とは異なる方向に上記センターミラーが進行するため、使用者は上記ランナーが上記停止位置に近いことを認知しやすい。
【００１１】
また、上記停止位置から上記ランナーを上記スライド部に走査させるにあたり、上記ランナーは上記略Ｖ字状部分の前方端部に向かって斜め前方に進行する。このとき、上記ランナーは斜め前方に進行して上記センターミラーも斜め前方に進行することとなる。従って、上記センターミラーは、前方に進行して隣接する上記右サイドミラーおよび上記左サイドミラーと前後にずれつつ幅方向に進行するため隣接する上記右サイドミラーおよび上記左サイドミラーに干渉し難い。
【００１２】
すなわち、上記停止位置において上記センターミラーと上記右サイドミラーと上記左サイドミラーとの幅方向の間隔が狭くても、上記ランナーが上記停止部を走査する間は上記センターミラーが上記右サイドミラーと上記左サイドミラーに干渉することを防止できる。従って、上記収納部の閉状態において、各ミラー同士の間に生じる幅方向の隙間を小さくすることができて見栄えをよくすることができる。
【００１３】
また、請求項４にかかる発明は、上記収納部が閉状態となるとき、上記センターミラーと上記右サイドミラーと上記左サイドミラーの全ての上端面の高さが等しく、前面側の奥行き位置が全て一致する構成としてある。
【００１４】
上記のように構成した請求項４の発明は、上記収納部が閉状態となるとき、上記センターミラーと上記右サイドミラーと上記左サイドミラーの全ての上端面の高さが等しく、前面側が全て同一面上に位置するため、同センターミラー、右サイドミラー、左サイドミラー全体としてまとまった形状とすることができる。
【００１５】
また、請求項５にかかる発明は、上記右サイドミラーと上記左サイドミラーは、ともに上記センターミラーの略半分の幅であるとともに、上記センターミラーの右端面を上記右サイドミラーの右端面と概略一致させるまで幅方向右側にスライド可能とし、同センターミラーの左端面を上記左サイドミラーの左端面と概略一致させるまで幅方向左側にスライド可能とされている構成としてある。
【００１６】
上記のように構成した請求項５の発明は、上記センターミラーは、同センターミラーの右端を上記右サイドミラーの右端と概略一致させるまで幅方向右側にスライド可能である。すなわち、上記センターミラーは上記右サイドミラーの幅と同等量幅方向右側にスライド可能となる。ここで、上記右サイドミラーの幅は上記センターミラーの略半分であるため、上記センターミラーを幅方向右側に最大限スライドさせたとき、上記センターミラーは同センターミラーの幅の半分だけ右にずれることとなる。このとき、上記センターミラーの背面側に備えられた上記収納部の幅方向左半分が前面側に開放する。
【００１７】
一方、上記センターミラーは、同センターミラーの左端を上記左サイドミラーの左端と概略一致させるまで幅方向左側にスライド可能である。すなわち、同様に上記センターミラーを幅方向左側に最大限スライドさせたとき、上記センターミラーの背面側に備えられた上記収納部の幅方向右半分が前面側に開放する。従って、上記収納部の幅方向右半分と左半分をそれぞれ開放することが可能であるため、上記収納部の全体にわたって収納物の出し入れが可能となる。また、上述した範囲内でセンターミラーがスライドする限り、上記センターミラーが上記右サイドミラーと上記左サイドミラーより外側に移動することはないため、本発明にかかる洗面化粧台を設置する際に上記センターミラーの移動量を考慮する必要がなくて済む。
【００１８】
ここで、センターミラーを上述した範囲内でのみスライド可能とするためには、所定の位置にストッパー機構を設ければよい。このストッパー機構の一例として、上記センターミラーの右端面が上記右サイドミラーの右端面と概略一致するとき同センターミラーの右端面に右側から干渉する部材と、上記センターミラーの左端面が上記左サイドミラーの左端面と概略一致するとき同センターミラーの左端面に左側から干渉する部材とをそれぞれ具備した構成が挙げられる。むろん、上記スライド機構として上記レールおよび上記ランナーを適用した場合には、上記レールにおける上記ランナーの移動範囲を規制する構成を適用してもよい。
【００１９】
【発明の効果】
以上説明したように、請求項１にかかる発明によれば、大型のセンターミラーであっても開放させる際に、同センターミラーの軌道が前方にならず、使用者の邪魔とならない洗面化粧台を提供することができる。
請求項２にかかる発明によれば、センターミラーをスライド可能に支持させることができる。
請求項３にかかる発明によれば、収納部が閉状態となる位置にセンターミラーを簡単に停止させることができる。
請求項４にかかる発明によれば、センターミラーと隣接する右サイドミラーと左サイドミラーとを一体感のある形状とすることができるとともに、これらが干渉することを防止することができる。
請求項５にかかる発明によれば、幅方向のスペースを有効に利用することができる。
【００２０】
【発明の実施の形態】
（１）センターミラーの動作：
（２）センターミラーの取り付け構造：
（３）まとめ：
【００２１】
（１）センターミラーの動作：
図１は、本発明にかかる洗面化粧台を斜めから見て示している。同図において、洗面化粧台１０は大きくベースキャビネット１１とミラーキャビネット３０とにより構成されている。ベースキャビネット１１は底面にて接地し、上面のカウンターには、左右一対の洗面ボウル１２ａ，１２ｂが設けられている。ベースキャビネット１１の前面側には、引き出し１１ａ，１１ｂ，１１ｃ，１１ｄ，１１ｅが備えられ、それぞれに備えられた取っ手を掴んで手前に引くことにより前方にスライドし収納物の出し入れが可能となっている。ベースキャビネット１１の上面のカウンターであって洗面ボウル１２ａ，１２ｂの奥方には、水栓１３ａ，１３ｂが備えられ、水や湯を供給している。
【００２２】
さらに、水栓１３ａ，１３ｂの奥にはミラーキャビネット３０が鉛直に立設されている。ミラーキャビネット３０の前面には、左から順に左サイドミラー６０とセンターミラー７０と右サイドミラー８０とが鉛直に正立させて保持されている。左サイドミラー６０とセンターミラー７０と右サイドミラー８０は矩形板状に形成されており、それぞれ上端面と下端面が水平に配向しつつ、左右の端面は鉛直に配向している。左サイドミラー６０、センターミラー７０および右サイドミラー８０は、幅方向に隣接して保持されており、前面側の奥行き方向の位置は全て一致させられているため、全体として一面の鏡面を形成している。ミラーキャビネット３０の左サイドミラー６０とセンターミラー７０と右サイドミラー８０より下の部分は厚みが薄く形成された中間棚９０が備えられており、同中間棚９０は、前方に備えられる四枚の引き戸９０ａ，９０ｂ，９０ｃ，９０ｄにより開閉させられる。左サイドミラー６０、センターミラー７０、右サイドミラー８０の上端面はミラーキャビネット３０の天板とほぼ同じ高さとされ、下端面は中間棚９０の上端とほぼ同じ高さとなっている。ミラーキャビネット３０の上方には照明ユニット１４および上方棚１５がそれぞれ備えられている。
【００２３】
図２は、左サイドミラー６０、センターミラー７０、右サイドミラー８０を取り外した状態のミラーキャビネット３０を斜めから見て示している。同図において、ミラーキャビネット３０は所定の厚みを有しており、左サイドミラー６０、センターミラー７０、右サイドミラー８０それぞれの背面側には、収納部としての左収納棚６５、センター収納棚７５、右収納棚８５が形成されている。左収納棚６５、センター収納棚７５、右収納棚８５は、ミラーキャビネット３０の天板３０ａを共通の天板としており、ミラーキャビネット３０の水平面３０ｂを共通の底板としている。また、天板３０ａと水平面３０ｂは、幅方向、奥行き方向が同じ長さに形成され、左収納棚６５、センター収納棚７５、右収納棚８５の前方側の端面は全て鉛直方向に配向されている。
【００２４】
左収納棚６５の右端部には上下一対の蝶番６５ａ，６５ｂの固定片が軸を鉛直方向にして取り付けられている。そして、蝶番６５ａ，６５ｂの回転片を左サイドミラー６０の右端部に接合することにより、左サイドミラー６０を内側に回動させて開閉させることが可能となっている。同様に、右サイドミラー８０も上下一対の蝶番８５ａ，８５ｂにより、内側に回動可能にミラーキャビネット３０に連結されている。従って、左サイドミラー６０、右サイドミラー８０をともに内側に開放させれば、左サイドミラー６０、センターミラー７０、右サイドミラー８０が内側に対向するため、三面鏡としての使用が可能となっている。センターミラー７０の幅は、左サイドミラー６０および右サイドミラー８０の幅の略二倍に形成されており。同様に、センター収納棚７５の幅は、左収納棚６５および右収納棚８５の幅の略二倍に形成されている。
【００２５】
図３は、センターミラー７０を右方向にスライドさせた状態を斜めから見て示している。同図において、センターミラー７０は、右方向にスライドして同センターミラー７０の右側端面を、右サイドミラー８０の右側端面と概略一致させている。このとき、センターミラー７０の左側端面は、センター収納棚７５の幅方向略中央に位置している。従って、センター収納棚７５の幅方向左側が前方に開放した開状態となっている。また、センターミラー７０は、センターミラー７０および右サイドミラーの厚みより大きく前方に引き出されつつ右方向にスライドするため、センターミラー７０は右サイドミラーより前面側に位置し、互いに干渉していない。
【００２６】
図４は、センターミラー７０を左方向にスライドさせた状態を斜めから見て示している。同図において、センターミラー７０は、左方向にスライドして同センターミラー７０の左側端面を、左サイドミラー６０の左側端面と概略一致させている。従って、同様にセンター収納棚７５の幅方向右側が前方に開放した開状態となっている。また、センターミラー７０は、センターミラー７０および左サイドミラーの厚みより大きく前方に引き出されつつ左方向にスライドするため、センターミラー７０は左サイドミラーより前面側に位置し、互いに干渉していない。
【００２７】
かかる構成により、センター収納棚７５の全体にわたって収納物の出し入れが可能となる。すなわち、センターミラー７０を右方向にスライドさせたときセンター収納棚７５の左側半分を開放することができるとともに、センターミラー７０を左方向にスライドさせたときセンター収納棚７５の右側半分を開放することができるため、センター収納棚７５の全体にわたって開放することが可能となる。
【００２８】
（２）センターミラーの取り付け構造：
図２において、ミラーキャビネット３０の天板３０ａ上には上レール４０が配設されており、左収納棚６５、センター収納棚７５、右収納棚８５の底面に相当するミラーキャビネット３０の水平面３０ｂの下方には下レール４１が配設されている。上レール４０は、一直線状に形成されたスライド部４０ａが設けられ、センターミラー７０の幅方向に配向している。また、スライド部４０ａの前方の側面は、天板３０ａの前方端面よりわずかに後方に位置している。上レール４０は、底面および二側面により構成され、底面を天板３０ａに接合させることにより上方に開口する樋状となっている。上レール４０の左右両端部においては、左右外側にもそれぞれ開口することとなるが、同端部の外側から略箱状のストッパー４０ｇ，４０ｈをそれぞれ隣接させて取り付けることにより、左右外側への開口を塞いでいる。
【００２９】
天板３０ａ上の幅方向におけるセンター収納棚７５の両端より所定量内側には、互いに同一の略Ｖ字状をした停止部４０ｂ，４０ｃが配設されている。停止部４０ｂ，４０ｃは、同停止部４０ｂ，４０ｃの前方の端部にてスライド部４０ａとそれぞれ接続している。図５は、停止部４０ｂを上方から見て示している。同図において、略Ｖ字状部４０ｂ１の屈曲角は６０度に形成されており、この屈曲部の内側には、ローラーベアリング４０ｂ３が設けられている。同ローラーベアリング４０ｂ３は、鉛直軸により水平方向に回転可能となっている。
【００３０】
また、同図において上レール４０の断面を示している。同断面図において、上レール４０は、底面および二側面により構成され、略コの字状の断面となる樋状となっている。また、上レール４０は、底面を天板３０ａに接合させることにより、上方に開口している。上レール４０の底面から所定の高さにて側面を内側に向けて延出させることにより一対の凸部４０ｄ１，４０ｄ２が形成されており、この凸部４０ｄ１，４０ｄ２が対向する部分のみ、他の部分より樋幅が細い細幅部４０ｄ３が形成されている。また、ローラーベアリング４０ｂ３にも、凸部４０ｄ１，４０ｄ２に相当する広径部が形成されている。また、凸部４０ｄ１，４０ｄ２の内側方向先端は、下方向に幅広に形成されている。停止部４０ｂには樋部の底面を外側に延設して取り付け面４０ｂ４が平面状に形成されており、同取り付け面４０ｂ４がボルト４２ａ，４２ｂによりミラーキャビネット３０に固定されている。一方、スライド部４０ａは樋部の底面にてネジ４３ａ，４３ｂによりネジ止め固定されている。
【００３１】
一方、図２において下レール４１は、スライド部４１ａと停止部４１ｂ，４１ｃとで構成されており、同下レール４１は上レール４０と同一形状となっている。また、スライド部４１ａ、停止部４１ｂ，４１ｃ、ストッパー４１ｇ，４１ｈの水平面３０ｂの下面における取り付け位置も、上レール４０のスライド部４０ａと停止部４０ｂ，４０ｃに対応したそれぞれの鉛直下方となっている。ただし、配設方向が上下逆となっているため、下側に開口する樋状となっている。天板３０ａと水平面３０ｂはともに水平にとされているため、下レール４１のスライド部４１ａと上レール４０のスライド部４０ａは互いに平行となっている。
【００３２】
図６は、センターミラー７０を背面から見て示している。同図においてセンターミラー７０の背面側には所定の厚みを有する矩形板状のセンター支持板７１が備えられており、同センター支持板７１は前方側にてセンターミラー７０を保持しつつ、背面側にて二個の上ランナー５０ａ，５０ｂおよび二個の下ランナー５５ａ，５５ｂと接合している。上ランナー５０ａ，５０ｂはセンター支持板７１の上端面の左右両端から所定量内側の位置に配設され、上方部分が同上端面から上方に突出している。一方、下ランナー５５ａ，５５ｂは、センター支持板７１の下端面の左右両端から所定量内側の位置に配設され、下方部分が同上端面から下方に突出している。
【００３３】
ここで、停止部４０ｂ，４０ｃ，４１ｂ，４１ｃの配設位置は、上ランナー５０ａ，５０ｂおよび下ランナー５５ａ，５５ｂの配設位置に対応している。すなわち、本発明にいうセンター収納棚７５の閉状態において、停止部４０ｂ，４０ｃ，４１ｂ，４１ｃのそれぞれの直線部の最後方位置に、後に詳述する上ランナー５０ａ，５０ｂ，５５ａ，５５ｂの走行軸が係合する位置となっている。なお、センター収納棚７５の閉状態においては、センターミラー７０が右サイドミラー８０および左サイドミラー６０と幅方向に隣接し、前面側の奥行き位置が一致する。
【００３４】
図７は、上ランナー５０を側方から見て示している。なお、上ランナー５０ａ，５０ｂとして左右同じものを使用している。同図において、上ランナー５０ａは側面視略コの字状に形成されており、開口を鉛直下方に配向させている。すなわち、上ランナー５０ａは、走行軸５１と取り付け部５２とが所定の間隔をもって互いに平行に対向しており、アーム部５３がこれらと直交しつつ接合している。取り付け部５２は平面板状となっており、センター支持板７１に面接しつつネジ止め穴５２ａ１〜５２ａ３によりネジ止め固定される。従って、アーム部５３は、センター支持板７１に対して垂直となり、走行軸５１はセンター支持板７１に対して略平行となる。略円柱状の走行軸５１の軸方向の一端には上レール４０と係合するための係合部５１ａが設けられており、係合部５１ａとは反対側の一端がアーム部５３に設けられた貫通穴５３ａ１を外側に向けて貫通しつつ、外側からナット５４により固定されている。
【００３５】
また、走行軸５１は軸方向が鉛直となっており、係合部５１ａが下向きに配向されている。係合部５１ａにおける軸方向先端部は、軸方向に所定の高さを有する円柱状の先端部５１ａ１が形成されている。さらに、同先端部５１ａ１の軸方向内側に隣接して環状ベアリング５１ａ２が設けられており、同環状ベアリング５１ａ２は内径を係合部５１ａの軸部によって遊挿されることで、走行軸５１に垂直かつ水平方向に回転可能となるように保持されている。
【００３６】
図８は、下ランナー５５を側方から見て示している。なお、下ランナー５５ａ，５５ｂとして左右同じものを使用している。同図において、下ランナー５５は上ランナー５０ａ，５０ｂを上下反転させた側面視略コの字状に形成されており、開口を鉛直上方に配向させている。下ランナー５５の走行軸５６の係合部５６ａは上方に配向している。また、走行軸５６は、下方からナット５９を締め付けることによりアーム部５８と接合固定されている。
【００３７】
図９は、センター収納棚７５が閉状態となるときのミラーキャビネット３０の断面を左側から見て示している。同図において、上ランナー５０ａの係合部５１ａは上レール４０の停止部４０ｂの最後方位置となる屈曲部にて上レール４０に係合している。そして、スライド部４０ａの奥方にはストッパー４０ｇが見えている。アーム部５３の奥行き方向の長さは停止部４０ｂの奥行き方向の長さとほぼ同等に形成されているため、このとき取り付け部５２はミラーキャビネット３０の前面に近接する。上ランナー５０ａは、上部がセンターミラー７０の上端面から上方に突設されるため、アーム部５３は、センターミラー７０の上端面より高い位置となっている。
【００３８】
一方、下ランナー５５ａは、下レール４１の停止部４１ｂの最後方位置となる屈曲部にて下レール４１に係合している。下ランナー５５ａは、下部がセンターミラー３０の下端面から下方に突設されるため、アーム部５８は、センターミラー７０の下端面より低い位置となっている。なお、本図の状態において、センター支持板７１の前面と右支持板８１の前面および左支持板の前面の位置が奥行き方向に一致している。また、図示されないが同様に上ランナー５０ｂは停止部４０ｃに係合し、下ランナー５５ｂも停止部４１ｃに係合している。
【００３９】
図１０は、センター収納棚７５が開放されるときのミラーキャビネット３０の断面を左側から見て示している。同図においては、上ランナー５０ａは、上レール４０のスライド部４０ａを走査しており、下ランナー５５ａは、下レール４１のスライド部４１ａを走査している。同様に図示されない上ランナー５０ｂは、上レール４０のスライド部４０ａを走査しており、下ランナー５５ｂは、下レール４１のスライド部４１ａを走査している。このとき、図９において示した閉状態より、上ランナー５０ａ，５０ｂ、下ランナー５５ａ，５５ｂ、センター支持板７１およびセンターミラー７０は前方に位置している。すなわち、停止部４０ｂ，４０ｃ，４１ｂ，４１ｃの奥行き方向の長さ分だけ前方に移動している。
【００４０】
本状態における上レール４０の断面を見ると、先端を鉛直下方に配向させた係合部５１ａは、上方に開口する上レール４０の凸部４０ｄ１，４０ｄ２の上面に環状ベアリング５１ａ２を当接させるまで進入している。先端部５１ａ１は細幅部４０ｄ３より奥部に進入するものの、先端部５１ａ１の先端は底面まで到達せず隙間が形成されている。そして、この隙間において、上レール４０をミラーキャビネット３０の天板３０ａに固定するためのネジ４３ａの頭部が先端部５１ａ１と干渉することなく上方に突出している。
【００４１】
すなわち、上レール４０の凸部４０ｄ１，４０ｄ２は、係合部５１ａの先端部５１ａ１の高さより底面から高い位置に形成されている。一方、細幅部４０ｄ３の幅は、先端部５１ａ１の径より大きく、環状ベアリング５１ａ２の外径より小さいとともに、細幅部４０ｄ３以外の樋幅は環状ベアリング５１ａ２の外径より大きく形成されている。同様に他のランナー５０ｂ，５５ａ，５５ｂも他の停止部４０ｂ，４１ｂにそれぞれの係合部を係合させている。ただし、下レール４１は樋部を下方に開口させているため、下ランナー５５ａの係合部５６ａは下方から上方に向かって係合している。同様に図示されない下ランナー５５ｂの係合部も下方から上方に向かって係合している。
【００４２】
かかる構成により、センター支持板７１およびセンターミラー７０をミラーキャビネット３０に上吊り状態で支持することが可能となる。センター支持板７１には、センター支持板７１およびセンターミラー７０の自重により下方に荷重がかかることとなるが、凸部４０ｄ１，４０ｄ２が当接して環状ベアリング５１ａ２を上向きに支持するため、この荷重に対抗することができる。さらに、環状ベアリング５１ａ２は回転可能であるため摩擦抵抗が軽減されて走行軸５１はスムーズに上レール４０内を移動することができる。また、先端部５１ａ１が接触して摩擦抵抗を発生させることもない。
【００４３】
一方、下ランナー５５ａは、下レール４１に対して係合部５６ａを下方から進入させて係合している。この下ランナー５５ａと下レール４１の係合部位においては、センター支持板７１およびセンターミラー７０の自重による荷重に対抗することはないが、走行軸５６の軌道を下レール４１の樋内部に規制することができるため、センターミラー７０の姿勢が安定する。すなわち、センターミラー７０を鉛直に正立させたままスライド移動させることができる。センター支持板７１がミラーキャビネット３０を上下から挟み込む態様となるため、センター支持板７１が前方に離脱してしまうこともない。むろん、下ランナー５５ａと下レール４１との摩擦抵抗も環状ベアリング５６ａ２の作用により軽減されている。
【００４４】
また、下ランナー５５の走行軸は下側から螺合するナット５９により着脱可能にアーム部５８と接合する。従って、センター支持板７１のミラーキャビネット３０に対する着脱が容易となる。すなわち、下ランナー５５の走行軸をアーム部から取り外しておいて、上ランナー５０ａ，５０ｂを上レール４０に係合させ上吊り状態にしてから、下ランナー５５の走行軸をアーム部５６取り付ければよい。このとき、ナット５９は、下ランナー５５の外側、すなわち下方側にあるため、工具等が到達できて締め付け作業が容易である。一方、センター支持板７１を取り外す際には、以上の作業と逆の作業をすればよい。
【００４５】
上レール４０および下レール４１をミラーキャビネット３０に接合するにあたっては、レール内部にてネジ４３等により直接ネジ止め固定をすることができる。すなわち、上述したようなレールと係合部の形状とすることで、レール内部にてネジ止め固定を行っても、ネジの頭部が係合部の走行の妨げとならない。レール４０，４１内部にてネジ止め固定することが可能であれば、レール４０，４１の底面に貫通穴を形成すればよく、レール４０，４１を側方に延設等して取り付け部等を設ける必要がない。また、荷重が及ぼされる凸部４０ｄ１，４０ｄ２に直近の位置にて固定できるため、レールが撓んで走行軌道が不安定となる可能性も低い。
【００４６】
ここで、図９の閉状態から図１０の開状態となるまでの課程を図１１において上面図により模式的に示す。なお、同図においてはセンター支持板７１を右前方に引っ張る外力を与えているものとし、走行軸５１およびセンター支持板７１の端部の軌道を矢印を用いて示している。同図において実線で示す図９の状態においては、センター支持板７１の背面はミラーキャビネット３０に近接するとともに、センターミラー７０の前面は右サイドミラー８０と奥行き方向の位置を一致させている。また、センター支持板７１の右側端部は前方に向かって幅広となる６０度のテーパーが設けられており、所定の隙間をもって右サイドミラー８０の右支持板８１と幅方向に隣接している。
【００４７】
この状態から、走行軸５１はローラーベアリング４０ｂ３に当接しつつ、同ローラーベアリング４０ｂ３が時計回りに回転することにより略Ｖ字状部４０ｂ１の右辺部に進入する。すると、走行軸５１およびセンター支持板７１の端部は斜め６０度前方に進行する。さらに、略Ｖ字状部４０ｂ１の右辺部の前方端部まで進行すると、同前方端部にて接続されたスライド部４０ａを進行し、走行軸５１およびセンター支持板７１の軌道はセンターミラー７０の幅方向となる。センター支持板７１も走行軸５１の移動に伴って、斜め６０度前方に進行した後に幅方向に進行することとなる。
【００４８】
以上の動作において、センター支持板７１が、センター支持板７１および右支持板８１の厚みより前方に移動したため、初期においては奥行き方向の位置が同じであったセンター支持板７１と右支持板８１とが、前後にずれた位置関係となる。このように、センター支持板７１と右支持板８１とが前後にずれると、センター支持板７１が幅方向にスライドしても右支持板８１に干渉することがない。従って、センター支持板７１は幅方向にスライドすることが可能となる。すなわち、略Ｖ字状部４０ｂ１の奥行き方向の長さをセンター支持板７１、右支持板８１および左支持板より大きく形成することで、センター支持板７１は右支持板８１および左支持板と干渉することなく幅方向にスライドすることが可能となる。
【００４９】
一方、走行軸５１が右支持板８１の背後までスライド部４０ａを走行すると上ランナー５０ａが右支持板８１と重なる位置関係となるが、図１０に示すように、上ランナー５０ａのアーム部５３は、右支持板８１の十分上方を通過するため、これらが干渉することはない。なお、同図の状態において、図９の閉状態からセンター支持板７１が右方向に移動するため、センター収納棚７５の左側が前面側に開放する。
【００５０】
さらに、走行軸５１を右方向に移動させていくと、ついには走行軸５１がストッパー４０ｇの側面に干渉し停止する。このとき、センター支持板７１の右端部は、右サイドミラー８０の右端部と概略一致する。すなわち、この位置からセンター支持板７１が右方向にスライドすることが防止されるため、センター支持板７１およびセンターミラー７０が右サイドミラー８０およびミラーキャビネット３０より外側に突出することはない。従って、本発明にかかる洗面化粧台を設置する際には、この突出量を考慮して左右にスペースを確保しておく必要はない。
【００５１】
走行軸５１が略Ｖ字状部４０ｂ１を走行する際、センター支持板７１の右端部は、右支持板８１と所定の隙間をもって隣接する閉状態から、略Ｖ字状部４０ｂ１の右辺部を斜め６０度前方に進行する。このとき、センター支持板７１の右端部は前方に進行しつつも幅方向右側にも進行するため右支持板８１の端部に幅方向に接近することとなるが、センター支持板７１の端部のテーパー角が６０度であるため、センター支持板７１の端面と右支持板８１の端部との間隔が狭められることはない。従って、以上の動作において、センター支持板７１の端面と右支持板８１の端部を干渉させることなくセンター支持板７１を移動させることができる。また、閉状態から走行軸５１が略Ｖ字状部４０ｂ１の右辺部または左辺部に移行するにあたっては、ローラーベアリング４０ｂ３が回動するためスムーズにいずれかの方向に分岐させることができる。
【００５２】
一方、走行軸５１をスライド部４０ａから略Ｖ字状部４０ｂ１を通過して直線部４０ｂ２に移行させるにあたり、すなわちセンター収納棚７５の左側が前面側に開放する開状態からセンター収納棚７５を閉状態とするにあたり、センター支持板７１を左方向にスライドさせていけば、環状ベアリング５１ａ２の作用により自然に進行方向が斜め後方に変更される。また、同時に進行方向に変化があったことを認識できるため、使用者は停止位置が近いことを認識することができる。従って、スライド速度を緩めつつ、最終的に後方に向かってセンター支持板７１を押し込むことができる。
【００５３】
以上、センター支持板７１を右側に移動させる動作を例示して説明したが、左側に移動させるときの動作については、上述の動作と左右対称の動作となる。また、上レール４０の停止部４０ｂと上ランナー５０ａの動作を例示して説明したが、他の上ランナー５０ｂと停止部４０ｃの動作、および下ランナー５５ａ，５５ｂと停止部４１ｂ，４１ｃの動作も全く同様である。
【００５４】
（３）まとめ：
以上説明したように、本発明にかかる洗面化粧台においては、略Ｖ字状の停止部を設けて、同停止部の奥行き分だけセンターミラーを前方に移動させておくことにより、スライド部においてセンターミラーとサイドミラーとが干渉することなく、センターミラーが幅方向に移動することが可能となる。一方、ランナーの形状を側面視略コの字状に形成し、センターミラーの上下端面から上下に所定量突出させて配設することにより、ランナーとサイドミラーとが干渉することなくスライドさせることができる。
【図面の簡単な説明】
【図１】本発明にかかる洗面化粧台の斜視図
【図２】本発明にかかるミラーキャビネットの斜視図
【図３】本発明にかかる洗面化粧台の斜視図
【図４】本発明にかかる洗面化粧台の斜視図
【図５】本発明にかかる上レールの上面図
【図６】本発明にかかるセンターミラーの背面図
【図７】本発明にかかる上ランナーの側面図
【図８】本発明にかかる下ランナーの側面図
【図９】本発明にかかる洗面化粧台を左側方から見た断面図
【図１０】本発明にかかる洗面化粧台を左側方から見た断面図
【図１１】本発明にかかるランナーおよびセンターミラーの動作を示す模式図
【符号の説明】
１０…洗面化粧台
１１…ベースキャビネット
３０…ミラーキャビネット
４０…上レール
４１…下レール
４３…ネジ
５０…上ランナー
５２…取り付け部
５３…アーム部
５４，５９…ナット
５５…下ランナー
５６…走行軸
６０…左サイドミラー
６５…左収納棚
７０…センターミラー
７１…センター支持板
７５…センター収納棚
８０…右サイドミラー
８１…右支持板
８５…右収納棚
９０…中間棚
【図１】
2004357963.tif 000003
【図２】
2004357963.tif 000004
【図３】
2004357963.tif 000005
【図４】
2004357963.tif 000006
【図５】
2004357963.tif 000007
【図６】
2004357963.tif 000008
【図７】
2004357963.tif 000009
【図８】
2004357963.tif 000010
【図９】
2004357963.tif 000011
【図１０】
2004357963.tif 000012
【図１１】
2004357963.tif 000013